(57)【要約】【課題】表示タグを適正な姿勢に設置することができる表示タグの取付構造を提供する。【解決手段】シートクッション２にタグ６０を取り付ける表示タグの取付構造において、シートクッション２の着座面に設けられたスイッチ１０と、スイッチ１０のベース１３の表面側に重ねて配置されるカバー４０を備え、タグ６０の支持プレート６１がベース１３とカバー４０の間に形成される凹部に収納されるとともに、ベース１３とカバー４０によって挟持され、タグ６０の表示部６２が外部に露出する。【選択図】図３
2010089735.tif 000002
【特許請求の範囲】
【請求項１】
シート本体に表示タグを取り付ける表示タグの取付構造において、
前記シート本体は着座面にスイッチを備え、前記表示タグの一部が前記スイッチに一体に取り付けられていることを特徴とする表示タグの取付構造。
【請求項２】
前記スイッチの表面側に重ねて配置されるカバーを備え、前記表示タグの一部が前記スイッチと前記カバーによって挟持されていることを特徴とする請求項１に記載の表示タグの取付構造。
【請求項３】
前記表示タグは、表示部と、該表示部に連結された支持プレートとを備え、前記支持プレートが前記スイッチと前記カバーとの間に形成される凹部に収納され、前記表示部が外部に露出していることを特徴とする請求項２に記載の表示タグの取付構造。
【発明の詳細な説明】
【技術分野】
【０００１】
この発明は、表示タグのシート本体への取付構造に関するものである。
【背景技術】
【０００２】
例えば車両用シートのヘッドレストなど、表皮の内側にクッション材を収容したクッション体に、表示タグを取り付ける場合がある（例えば、特許文献１参照）。この場合、表皮を縫合する際に表示タグを共縫いする方法が一般的である。
【特許文献１】特開２００８−３０７１１号公報
【発明の開示】
【発明が解決しようとする課題】
【０００３】
このように表示タグを表皮と共縫いする場合、表皮の縫合部が直線に近い形態であるときには表示タグも平坦な形態に仕上がるので特に問題は生じないが、例えばシートクッションのように表皮の縫合部が複雑な曲線状をなすときに表示タグを表皮と共縫いすると、表示タグがうねった形態となってしまい、表示タグに記載されている表示が見難くなったり、判別し難くなるという課題がある。
【０００４】
また、電動スライドシートのようにシートクッションにスイッチが設けられていて、このスイッチ用の表示タグをシートクッションに取り付ける場合には、表示タグの取付位置を適正な位置に配置しなければならないが、表示タグを表皮と共縫いする取付構造では、表示タグの位置精度が低いという課題がある。
【０００５】
そこで、この発明は、表示タグを適正な姿勢に設置することができる表示タグの取付構造を提供するものである。
【課題を解決するための手段】
【０００６】
この発明に係る表示タグの取付構造では、上記課題を解決するために以下の手段を採用した。
請求項１に係る発明は、シート本体（例えば、後述する実施例におけるシートクッション２）に表示タグ（例えば、後述する実施例におけるタグ６０）を取り付ける表示タグの取付構造において、前記シート本体は着座面（例えば、後述する実施例における着座面２ａ）にスイッチ（例えば、後述する実施例におけるスイッチ１０）を備え、前記表示タグの一部が前記スイッチに一体に取り付けられていることを特徴とする表示タグの取付構造である。
【０００７】
請求項２に係る発明は、請求項１に記載の発明において、前記スイッチの表面側に重ねて配置されるカバー（例えば、後述する実施例におけるカバー４０）を備え、前記表示タグの一部（例えば、後述する実施例における支持プレート６１）が前記スイッチと前記カバーによって挟持されていることを特徴とする。
【０００８】
請求項３に係る発明は、請求項２に記載の発明において、前記表示タグは、表示部（例えば、後述する実施例における表示部６２）と、該表示部に連結された支持プレート（例えば、後述する実施例における支持プレート６１）とを備え、前記支持プレートが前記スイッチと前記カバーとの間に形成される凹部に収納され、前記表示部が外部に露出していることを特徴とする。
【発明の効果】
【０００９】
請求項１に係る発明によれば、表示タグの位置決め精度が向上する。また、スイッチは一般に硬質であり、この硬質な部材に表示タグを一体に取り付けているので、取り付け後の表示タグの形態がシート本体の形状に影響されることがない。その結果、表示タグがうねるなど不正な形態になることがなく、表示タグを適正な形態にしてシート本体に取り付けることができ、表示が見易くなる。
【００１０】
請求項２に係る発明によれば、表示タグの一部がスイッチとカバーに挟持されるので、表示タグが脱落するのを防止することができるとともに、表示タグのぐらつきやのガタ付きを防止することができる。
【００１１】
請求項３に係る発明によれば、表示タグの脱落を確実に防止することができる。
【発明を実施するための最良の形態】
【００１２】
以下、この発明に係る表示タグの取付構造の一実施例を図１から図６の図面を参照して説明する。なお、以下の説明において、前後方向は車体の前後方向に一致し、左右方向は運転者から見た左右方向に一致する。
【００１３】
図１に示す車両用シート（以下、シートと略す）１は、乗員の臀部を支承するシートクッション（シート本体）２が車体に対し前後移動可能に設けられ、乗員の背部を支承するシートバック３がシートクッション２に対する傾きを調節できるように傾転可能に設けられている。また、このシート１は所謂電動スライドシートであり、前述したシートクッション２の前後動作およびシートバック３の傾転動作は図示しない電動機構により駆動されるように構成されている。
【００１４】
そして、シートクッション２を前後移動させたりシートバック３を傾転させるときに操作するスイッチ１０が、シートクッション２の着座面２ａにおける右端前寄りに設置されており、さらにこのスイッチ１０の操作表示がされたタグ（表示タグ）６０がスイッチ１０に併設されている。
【００１５】
詳述すると、図２に示すように、スイッチ１０は、シートクッション２の前端近傍における右縁部に沿って設置されており、前後に並んで配置された２つの操作ノブ（操作部）１１，１２を備えている。前側に配置された操作ノブ１１は、シートクッション２を前後移動させるときに操作するもので、後側に配置された操作ノブ１２は、シートバック３を傾転させるときに操作するものである。スイッチ１０は両操作ノブ１１，１２を露出させて、カバー４０で覆われている。
【００１６】
タグ６０は、スイッチ１０およびカバー４０の右側部から右外側へ水平に張り出す姿勢に設けられており、タグ６０の前端は前側の操作ノブ１１の側方に位置し、タグ６０の後端は後側の操作ノブ１２の側方に位置している。タグ６０の前端側には、操作ノブ１１がシートクッション２の前後移動用のノブであることを示す表示Ａが印刷されており、タグ６０の後端側には操作ノブ１２がシートバック３の傾転動作用のノブであることを示す表示Ｂが印刷されている。
【００１７】
図３の分解図に示すように、スイッチ１０は樹脂製のベース１３を備え、このベース１３に、操作ノブ１１を有するスイッチ本体１４（図６参照）と、操作ノブ１２を有するスイッチ本体（図示略）が取り付けられている。図５に示すように、ベース１３は、シートクッション２のフレーム（図示略）に固定されたブラケット３９に、ねじ３８によって固定されている。
【００１８】
図３に示すように、ベース１３の上端部には、前後方向に長い平面視長円形のカバー収容凹部１５が形成され、カバー収容凹部１５の外縁にベース１３の周壁部１６が連なっている。図５および図６に示すように、周壁部１６の右壁部１６ａはシートクッション２の表皮５によって覆われ、周壁部１６の左壁部１６ｂはシートクッション２のクッション材４に密接する。
【００１９】
さらに、カバー収容凹部１５には、平面視長円形のノブ収容凹部１７，１８が前後に並んで形成されている。ノブ収容凹部１７，１８の下端は開口しており、この開口からノブ収容凹部１７，１８にそれぞれ操作ノブ１１，１２が挿入されている。
【００２０】
図５に示すように、カバー収容凹部１５の裏側であってノブ収容凹部１７，１８と重ならない所定部位には、複数のスタンド２１が下方に向かって延びており、このスタンド２１に操作ノブ１１のスイッチ本体１４の取付リブ１４ａがネジ２２により固定されることで、スイッチ本体１４はベース１３に固定されている。操作ノブ１２のスイッチ本体も同様の構成によりベース１３に固定されている。
【００２１】
一方、カバー収容凹部１５の上面であって周壁部１６の左側壁１６ｂ側に近い部位には、上方に突出し前後方向に延びるリブ２３が形成されている。
また、各ノブ収容凹部１７，１８における周壁部１９の前後方向中央には、内側へ突出する係止突起２０，２０が左右に対向して設けられている。
【００２２】
カバー４０は樹脂製で、その平面視形状はベース１３のカバー収容凹部１５の平面視形状と相似形をなし、カバー収容凹部１５の内側に収まる大きさに設定されている。
カバー４０の上壁部４１はその周縁部４２が若干下方に屈曲している。また、上壁部４１には、平面視長円形のノブ収容凹部４３，４４が前後に並んで形成されている。ノブ収容凹部４３，４４の周壁部４５の断面形状はいずれも長円形に形成されていて、各周壁部４５の下端部がそれぞれベース１３のノブ収容凹部１７，１８の周壁部１９の内側にほぼ隙間なく挿入可能となっている。
また、ノブ収容凹部４３，４４の下端中央は開口しており、この開口からノブ収容凹部４３，４４にそれぞれ操作ノブ１１，１２が挿入可能となっている。
さらに、ノブ収容凹部４３，４４における各周壁部４５の前後方向中央の下部からは、さらに下方へ突出する脚部４６，４６が左右に対向して設けられており、各脚部４６には係止孔４７が開口している。
【００２３】
タグ６０は、樹脂製の支持プレート６１と、この支持プレート６１の右端部に縫い付けられた合成繊維製の表示部６２とから構成されている。支持プレート６１は、平面視略Ｅ字状をなし、カバー収容凹部１５の右半分ほぼ全域とこれに連なる左半分部分の一部とに重なる形状および寸法に形成されていて、前後に２つの係止凹部６３，６４が形成されている。これら係止凹部６３，６４にはそれぞれ、カバー４０のノブ収容凹部４３，４４における周壁部４５の右側半分の全てと左側半分の一部が挿入可能とされていて、係止凹部６３，６４にノブ収容凹部４３，４４の周壁部４５を挿入させると両者は係合し、支持プレート６１はカバー４０に対して水平面内いずれの方向にも移動不能となる。
【００２４】
表示部６２は前後方向に長い帯状をなし、板状の形態を保持可能な所定の硬さを備えている。表示部６２の前部には前述した表示Ａが印刷され、後部には前述した表示Ｂが印刷されている。
【００２５】
このタグ６０は次のようにしてスイッチ１０に取り付けられる。
予め、ベース１３の上にシートクッション２の表皮５を配置しておく。なお、表皮５には、ベース１３のノブ収容凹部１７，１８に対応する部分に２つの孔を開けておき、これら孔とノブ収容凹部１７，１８とが合致するように配置する。
また、予め、ベース１３にスイッチ本体を固定し、操作ノブ１１，１２をそれぞれノブ収容凹部１７，１８に挿入させておく。
【００２６】
そして、タグ６０の支持プレート６１をベース１３のカバー収容凹部１５に収容するとともに、表示部６２をベース１３の右外に引き出す。このときに支持プレート６１の係止凹部６３，６４とベース１３のノブ収容凹部１７，１８とが合致するように配置する。
次に、カバー４０をタグ６０の上から降ろしていき、タグ６０の係止凹部６３，６４内にカバー４０におけるノブ収容凹部４３，４４の各周壁部４５を挿入し、さらに、カバー４０を降ろしていって、カバー４０の各脚部４６の係止孔４７に、ベース１３におけるノブ収容凹部１７，１８の各係止突起２０を係合させる。係止孔４７と係止突起２０の係合により、カバー４０はベース１３に固定されるとともに、タグ６０の支持プレート６１がスイッチ１０に一体に取り付けられる。
【００２７】
このようにしてスイッチ１０に取り付けられたタグ６０では、タグ６０が硬質なスイッチ１０のベース１３およびカバー４０によってスイッチ１０に一体に取り付けられているので、取り付け後のタグ６０の表示部６２の形態がシートクッション２の形状に影響されることがなく、表示部６２がうねるなど不正な形態になることがない。したがって、表示部６２が常に適正な形態に保持されるので、乗員が表示Ａ，Ｂを見易くなる。
【００２８】
また、図５および図６に示すように、タグ６０の支持プレート６１がスイッチ１０のベース１３とカバー４０とに挟持され、この間に形成された凹部に収納されているので、支持プレート６１がベース１３とカバー４０の間から抜け出るのを防止することができ、その結果、タグ６０の脱落を防止することができる。特に、この実施例では、タグ６０の係止凹部６３，６４にカバー４０のノブ収容凹部４３，４４の周壁部４５が係合し、また、図５および図６に示すように、支持プレート６１の右端部がカバー４０の周縁部４２に係止するので、タグ６０の脱落を確実に防止することができる。
【００２９】
さらに、図５および図６に示すように、タグ６０において支持プレート６１の右端部と表示部６２の左端部とを縫合した部分がシートクッション２の表皮５とともに、ベース１３とカバー４０によって挟持され、支持プレート６１の左端部がシートクッション２の表皮５とともに、ベース１３とカバー４０によって挟持されているので、支持プレート６１がベース１３とカバー４０の間の空間内でぐらついたりガタ付くことがなく、しっかりと固定することができる。
【００３０】
また、シートクッション２の表皮５においてベース１３のカバー収容凹部１５の上に配置された部分が、カバー収容凹部１５の右端部近傍において前述したように支持プレート６１の右端部および表示部６２の左端部とともにベース１３とカバー４０によって挟持され、カバー収容凹部１５の左端部近傍においてベース１３のリブ２３とカバー４０によって挟持されているので、表皮５が外側へ引っ張られてベース１３とカバー４０の間から抜け出るのを防止することができる。
【００３１】
〔他の実施例〕
なお、この発明は前述した実施例に限られるものではない。
例えば、表示タグは電動スライドシートの操作用スイッチの操作表示に限るものではなく、シート本体に設置される種々のスイッチの操作のための表示タグに適用可能である。また、表示タグに記載される表示はスイッチの操作表示に限るものでもない。
【００３２】
また、前述した実施例では、シートクッションに設けられたスイッチに表示タグを一体に取り付けたが、シートバックに設けられたスイッチに表示タグを取り付ける場合に、この発明を適用することも可能である。
前述した実施例おいて、タグ６０の支持プレート６１に形成した係止凹部６３，６４を、カバー４０のノブ収容凹部４３，４４の周壁部４５の全周を囲むような孔にしてもよい。
【図面の簡単な説明】
【００３３】
【図１】この発明に係る表示タグの取付構造を備えた車両用シートの外観斜視図である。
【図２】前記車両用シートに設けられたスイッチ周辺の拡大図である。
【図３】前記実施例の表示タグの取付構造の分解斜視図である。
【図４】前記実施例におけるカバーの外観斜視図である。
【図５】図２のＶ−Ｖ断面図である。
【図６】図２のVI−VI断面図である。
【符号の説明】
【００３４】
１  車両用シート
２  シートクッション（シート本体）
２ａ  着座面
１０  スイッチ
１１，１２  操作ノブ（操作部）
１３  ベース
４０  カバー
６０  タグ（表示タグ）
６１  支持プレート
６２  表示部
【図１】
2010089735.tif 000003
【図２】
2010089735.tif 000004
【図３】
2010089735.tif 000005
【図４】
2010089735.tif 000006
【図５】
2010089735.tif 000007
【図６】
2010089735.tif 000008